(57)【特許請求の範囲】
【請求項１】
２つのサイドに分かれて対戦する対戦型スポーツの得点を表示する得点表示装置であって、
２つのサイドの得点をそれぞれ表示する表示部と、
いずれか一方のサイドの得点表示を変更する得点制御信号であってリモートコントローラによって所定の方向から送信される得点制御信号を受信する第１の受信部と、
前記所定の方向とは異なる方向から送信される得点制御信号を受信する第２の受信部と、
前記第１の受信部および前記第２の受信部いずれの受信部で前記得点制御信号を受信したか判別し、前記第１の受信部で前記得点制御信号を受信したと判別した場合、予め定められた一方のサイドの得点表示を変更し、前記第２の受信部で前記得点制御信号を受信したと判別した場合、他方のサイドの得点表示を変更する制御部と、を備える、
ことを特徴とする得点表示装置。
【請求項２】
前記得点表示装置は、前記表示部が配置された前面と、その裏面となる背面と、を備え、
前記第１の受信部は、前記前面に配置されており、前記前面に対向する方向から送信される前記得点制御信号を受信し、
前記第２の受信部は、前記背面に配置されており、前記背面に対向する方向から送信される前記得点制御信号を受信する、
ことを特徴とする請求項１に記載の得点表示装置。
【請求項３】
前記得点表示装置は、前記表示部が配置された前面と直角に位置する右側面と、その反対面となる左側面と、を備え、
前記第１の受信部は、前記右側面に配置され、前記右側面に対向する方向から送信される前記得点制御信号を受信し、
前記第２の受信部は、前記左側面に配置され、前記左側面に対向する方向から送信される前記得点制御信号を受信する、
ことを特徴とする請求項１又は２に記載の得点表示装置。
【請求項４】
前記得点表示装置は、前記表示部に表示された２つサイドの得点表示を入れ替えるための入替操作部、を備え、
前記制御部は、前記入替操作部が操作されたか否か判別し、前記入替操作部が操作されたと判別した場合、前記表示部に表示された両方のサイドの得点表示を入れ替える、
ことを特徴とする請求項１乃至３のいずれか１項に記載の得点表示装置。
【請求項５】
前記第１の受信部および前記第２の受信部は、いずれか一方のサイドの得点表示を変更する第１の得点制御信号と、他方のサイドの得点表示を変更する第２の得点制御信号と、
を受信し、
前記得点表示装置は、
対戦するチームまたは個人を識別する識別情報と対戦するチームまたは個人が位置するサイドの情報とを関連付けた得点情報と、前記第１の得点制御信号および前記第２の得点制御信号をそれぞれ前記識別情報に関連づけた割当情報と、を記憶する記憶部と、
前記得点制御信号を受信可能な受信部を切り替えるための選択操作部と、を備え、
前記制御部は、
前記選択操作部の操作に基づいて、前記第１の受信部および前記第２の受信部のうちのいずれかの受信部を受信可能にするとともに、他の受信部を受信不能にし、
受信可能にした受信部で受信した得点制御信号が前記第１の得点制御信号か前記第２の得点制御信号か判別し、
前記第１の得点制御信号を受信したと判別した場合、前記割当情報に基づいて前記第１の得点制御信号に関連付けられた識別情報を判別し、前記得点情報に基づいて判別した識別情報に関連付けられたサイドを判別し、判別したサイドの得点表示を変更し、
前記第２の得点制御信号を受信したと判別した場合、前記割当情報に基づいて前記第２の得点制御信号に関連付けられた識別情報を判別し、前記得点情報に基づいて判別した識
別情報に関連付けられたサイドを判別し、判別したサイドの得点表示を変更する、
ことを特徴とする請求項１乃至４のいずれか１項に記載の得点表示装置。
【請求項６】
２つのサイドに分かれて対戦する対戦型スポーツの得点を表示する得点表示装置であって、
２つのサイドの得点をそれぞれ表示する表示部と、
リモートコントローラによっていずれかの方向から送信される得点制御信号であっていずれか一方のサイドの得点表示を変更する第１の得点制御信号と他方のサイドの得点表示を変更する第２の得点制御信号とを受信する受信部と、
対戦するチームまたは個人を識別する識別情報と対戦するチームまたは個人が位置するサイドの情報とを関連付けた得点情報と、前記第１の得点制御信号および前記第２の得点制御信号をそれぞれ前記識別情報に関連づけた割当情報と、を記憶する記憶部と、
前記受信部が前記得点制御信号を受信可能な方向を選択するための選択操作部と、
前記選択操作部の操作に基づいて、前記受信部を、選択された方向からの得点制御信号を受信可能にするとともに、選択された方向とは反対方向からの得点制御信号を受信不能にし、受信した得点制御信号が前記第１の得点制御信号か前記第２の得点制御信号か判別し、前記第１の得点制御信号を受信したと判別した場合、前記割当情報に基づいて前記第１の得点制御信号に関連付けられた識別情報を判別し、前記得点情報に基づいて判別した識別情報に関連付けられたサイドを判別し、判別したサイドの得点表示を変更し、前記第２の得点制御信号を受信したと判別した場合、前記割当情報に基づいて前記第２の得点制御信号に関連付けられた識別情報を判別し、前記得点情報に基づいて判別した識別情報に関連付けられたサイドを判別し、判別したサイドの得点表示を変更する制御部と、を備える、
ことを特徴とする得点表示装置。
【請求項７】
２つのサイドに分かれて対戦する対戦型スポーツの得点を表示する得点表示装置と、前記得点表示装置に制御信号を送信するリモートコントローラと、を備える得点表示システムであって、
前記リモートコントローラは、
前記得点表示装置に表示される得点表示であっていずれか一方のサイドの得点表示を変更する得点制御信号を送信する送信部、を備え、
前記得点表示装置は、
２つのサイドの得点をそれぞれ表示する表示部と、
前記リモートコントローラによって所定の方向から送信される得点制御信号を受信する第１の受信部と、
前記所定の方向とは異なる方向から送信される得点制御信号を受信する第２の受信部と、
前記第１の受信部および前記第２の受信部いずれの受信部で前記得点制御信号を受信したか判別し、前記第１の受信部で前記得点制御信号を受信したと判別した場合、予め定められた一方のサイドの得点表示を変更し、前記第２の受信部で前記得点制御信号を受信したと判別した場合、他方のサイドの得点表示を変更する制御部と、を備える、
ことを特徴とする得点表示システム。
【請求項８】
２つのサイドに分かれて対戦する対戦型スポーツの得点を表示する得点表示装置の得点表示方法であって、
前記得点表示装置が、２つのサイドの得点をそれぞれ表示する表示ステップと、
前記得点表示装置が、いずれか一方のサイドの得点表示を変更する得点制御信号であってリモートコントローラによって所定の方向から送信される得点制御信号を受信する第１の受信ステップと、
前記得点表示装置が、前記所定の方向とは異なる方向から送信される得点制御信号を受信する第２の受信ステップと、
前記得点表示装置が、前記第１の受信ステップおよび前記第２の受信ステップいずれのステップで前記得点制御信号を受信したか判別し、前記第１の受信ステップで前記得点制御信号を受信したと判別した場合、予め定められた一方のサイドの得点表示を変更し、前記第２の受信ステップで前記得点制御信号を受信したと判別した場合、他方のサイドの得点表示を変更する制御ステップと、を備える、
ことを特徴とする得点表示方法。
【請求項９】
２つのサイドに分かれて対戦する対戦型スポーツの得点を表示する得点表示装置を制御するコンピュータに、
２つのサイドの得点をそれぞれ表示する表示機能と、
いずれか一方のサイドの得点表示を変更する得点制御信号であってリモートコントローラによって所定の方向から送信される得点制御信号を受信する第１の受信機能と、
前記所定の方向とは異なる方向から送信される得点制御信号を受信する第２の受信機能と、
前記第１の受信機能および前記第２の受信機能いずれの受信機能で前記得点制御信号を受信したか判別し、前記第１の受信機能で前記得点制御信号を受信したと判別した場合、
予め定められた一方のサイドの得点表示を変更し、前記第２の受信機能で前記得点制御信号を受信したと判別した場合、他方のサイドの得点表示を変更する制御機能と、を実行させる、
ことを特徴とする得点表示プログラム。
【発明の詳細な説明】
【技術分野】
【０００１】
本発明は、得点表示装置、得点表示システム、得点表示方法、及び得点表示プログラムに関する。
【背景技術】
【０００２】
各種スポーツ競技において得点等を表示するための表示装置が使用される。例えば、特許文献１には、左右の両サイドに分かれて競技するスポーツ（例えば、バスケットボール）の得点を表示する表示器と、その表示器を無線を使って制御する制御装置（例えば、左の操作ボタンで左サイドの得点を変更し、右の操作ボタンで右サイドの得点表示を変更する装置）と、を備えた表示装置が開示されている。
【先行技術文献】
【特許文献】
【０００３】
【特許文献１】特開２００８−０５５１３２号公報
【発明の概要】
【発明が解決しようとする課題】
【０００４】
表示器を無線で制御する場合、制御装置を操作する者（以下、「オペレータ」という。）はコート周辺のどの位置にいても表示器を操作できる。そのため、オペレータの立ち位置によっては、制御装置の左右の操作ボタンの位置とコートの左右のサイドとが逆になるため、混乱して操作し難いという問題がある。
【０００５】
本発明は、このような問題に鑑みてなされたものであり、操作が容易な得点表示装置、得点表示システム、得点表示方法、及び得点表示プログラムを提供することを目的とする。
【課題を解決するための手段】
【０００６】
本発明の第１の観点に係る得点表示装置は、
２つのサイドに分かれて対戦する対戦型スポーツの得点を表示する得点表示装置であって、
２つのサイドの得点をそれぞれ表示する表示部と、
いずれか一方のサイドの得点表示を変更する得点制御信号であってリモートコントローラによって所定の方向から送信される得点制御信号を受信する第１の受信部と、
前記所定の方向とは異なる方向から送信される得点制御信号を受信する第２の受信部と、
前記第１の受信部および前記第２の受信部いずれの受信部で前記得点制御信号を受信したか判別し、前記第１の受信部で前記得点制御信号を受信したと判別した場合、予め定められた一方のサイドの得点表示を変更し、前記第２の受信部で前記得点制御信号を受信したと判別した場合、他方のサイドの得点表示を変更する制御部と、を備える、
ことを特徴とする。
【０００７】
前記得点表示装置は、前記表示部が配置された前面と、その裏面となる背面と、を備え、
前記第１の受信部は、前記前面に配置されており、前記前面に対向する方向から送信される前記得点制御信号を受信し、
前記第２の受信部は、前記背面に配置されており、前記背面に対向する方向から送信される前記得点制御信号を受信してもよい。
【０００８】
前記得点表示装置は、前記表示部が配置された前面と直角に位置する右側面と、その反対面となる左側面と、を備え、
前記第１の受信部は、前記右側面に配置され、前記右側面に対向する方向から送信される前記得点制御信号を受信し、
前記第２の受信部は、前記左側面に配置され、前記左側面に対向する方向から送信される前記得点制御信号を受信してもよい。
【０００９】
前記得点表示装置は、前記表示部に表示された２つサイドの得点表示を入れ替えるための入替操作部、を備え、
前記制御部は、前記入替操作部が操作されたか否か判別し、前記入替操作部が操作されたと判別した場合、前記表示部に表示された両方のサイドの得点表示を入れ替えてもよい。
【００１０】
前記第１の受信部および前記第２の受信部は、いずれか一方のサイドの得点表示を変更する第１の得点制御信号と、他方のサイドの得点表示を変更する第２の得点制御信号と、
を受信し、
前記得点表示装置は、
対戦するチームまたは個人を識別する識別情報と対戦するチームまたは個人が位置するサイドの情報とを関連付けた得点情報と、前記第１の得点制御信号および前記第２の得点制御信号をそれぞれ前記識別情報に関連づけた割当情報と、を記憶する記憶部と、
前記得点制御信号を受信可能な受信部を切り替えるための選択操作部と、を備え、
前記制御部は、
前記選択操作部の操作に基づいて、前記第１の受信部および前記第２の受信部のうちのいずれかの受信部を受信可能にするとともに、他の受信部を受信不能にし、
受信可能にした受信部で受信した得点制御信号が前記第１の得点制御信号か前記第２の得点制御信号か判別し、
前記第１の得点制御信号を受信したと判別した場合、前記割当情報に基づいて前記第１の得点制御信号に関連付けられた識別情報を判別し、前記得点情報に基づいて判別した識別情報に関連付けられたサイドを判別し、判別したサイドの得点表示を変更し、
前記第２の得点制御信号を受信したと判別した場合、前記割当情報に基づいて前記第２の得点制御信号に関連付けられた識別情報を判別し、前記得点情報に基づいて判別した識
別情報に関連付けられたサイドを判別し、判別したサイドの得点表示を変更してもよい。
【００１１】
本発明の第２の観点に係る得点表示装置は、
２つのサイドに分かれて対戦する対戦型スポーツの得点を表示する得点表示装置であって、
２つのサイドの得点をそれぞれ表示する表示部と、
リモートコントローラによっていずれかの方向から送信される得点制御信号であっていずれか一方のサイドの得点表示を変更する第１の得点制御信号と他方のサイドの得点表示を変更する第２の得点制御信号とを受信する受信部と、
対戦するチームまたは個人を識別する識別情報と対戦するチームまたは個人が位置するサイドの情報とを関連付けた得点情報と、前記第１の得点制御信号および前記第２の得点制御信号をそれぞれ前記識別情報に関連づけた割当情報と、を記憶する記憶部と、
前記受信部が前記得点制御信号を受信可能な方向を選択するための選択操作部と、
前記選択操作部の操作に基づいて、前記受信部を、選択された方向からの得点制御信号を受信可能にするとともに、選択された方向とは反対方向からの得点制御信号を受信不能にし、受信した得点制御信号が前記第１の得点制御信号か前記第２の得点制御信号か判別し、前記第１の得点制御信号を受信したと判別した場合、前記割当情報に基づいて前記第１の得点制御信号に関連付けられた識別情報を判別し、前記得点情報に基づいて判別した識別情報に関連付けられたサイドを判別し、判別したサイドの得点表示を変更し、前記第２の得点制御信号を受信したと判別した場合、前記割当情報に基づいて前記第２の得点制御信号に関連付けられた識別情報を判別し、前記得点情報に基づいて判別した識別情報に関連付けられたサイドを判別し、判別したサイドの得点表示を変更する制御部と、を備える、
ことを特徴とする。
【００１２】
本発明の第３の観点に係る得点表示システムは、
２つのサイドに分かれて対戦する対戦型スポーツの得点を表示する得点表示装置と、前記得点表示装置に制御信号を送信するリモートコントローラと、を備える得点表示システムであって、
前記リモートコントローラは、
前記得点表示装置に表示される得点表示であっていずれか一方のサイドの得点表示を変更する得点制御信号を送信する送信部、を備え、
前記得点表示装置は、
２つのサイドの得点をそれぞれ表示する表示部と、
前記リモートコントローラによって所定の方向から送信される得点制御信号を受信する第１の受信部と、
前記所定の方向とは異なる方向から送信される得点制御信号を受信する第２の受信部と、
前記第１の受信部および前記第２の受信部いずれの受信部で前記得点制御信号を受信したか判別し、前記第１の受信部で前記得点制御信号を受信したと判別した場合、予め定められた一方のサイドの得点表示を変更し、前記第２の受信部で前記得点制御信号を受信したと判別した場合、他方のサイドの得点表示を変更する制御部と、を備える、
ことを特徴とする。
【００１３】
本発明の第４の観点に係る得点表示方法は、
２つのサイドに分かれて対戦する対戦型スポーツの得点を表示する得点表示装置の得点表示方法であって、
前記得点表示装置が、２つのサイドの得点をそれぞれ表示する表示ステップと、
前記得点表示装置が、いずれか一方のサイドの得点表示を変更する得点制御信号であってリモートコントローラによって所定の方向から送信される得点制御信号を受信する第１の受信ステップと、
前記得点表示装置が、前記所定の方向とは異なる方向から送信される得点制御信号を受信する第２の受信ステップと、
前記得点表示装置が、前記第１の受信ステップおよび前記第２の受信ステップいずれのステップで前記得点制御信号を受信したか判別し、前記第１の受信ステップで前記得点制御信号を受信したと判別した場合、予め定められた一方のサイドの得点表示を変更し、前記第２の受信ステップで前記得点制御信号を受信したと判別した場合、他方のサイドの得点表示を変更する制御ステップと、を備える、
ことを特徴とする。
【００１４】
本発明の第５の観点に係る得点表示プログラムは、
２つのサイドに分かれて対戦する対戦型スポーツの得点を表示する得点表示装置を制御するコンピュータに、
２つのサイドの得点をそれぞれ表示する表示機能と、
いずれか一方のサイドの得点表示を変更する得点制御信号であってリモートコントローラによって所定の方向から送信される得点制御信号を受信する第１の受信機能と、
前記所定の方向とは異なる方向から送信される得点制御信号を受信する第２の受信機能と、
前記第１の受信機能および前記第２の受信機能いずれの受信機能で前記得点制御信号を受信したか判別し、前記第１の受信機能で前記得点制御信号を受信したと判別した場合、予め定められた一方のサイドの得点表示を変更し、前記第２の受信機能で前記得点制御信号を受信したと判別した場合、他方のサイドの得点表示を変更する制御機能と、を実行させる、
ことを特徴とする。
【発明の効果】
【００１５】
本発明によれば、操作が容易な得点表示装置、得点表示システム、得点表示方法、及び得点表示プログラムを提供することができる。
【図面の簡単な説明】
【００１６】
【図１】本発明の実施形態に係る得点表示システムの概要を説明するための図である。
【図２】実施形態１のリモートコントローラを説明するための図である。
【図３】実施形態１の得点表示システムのブロック図である。
【図４】リモートコントローラから送信される得点制御信号を説明するための図である。
【図５】実施形態１の得点表示装置を説明するための図であり、（Ａ）は得点表示装置を前面方向から見た斜視図であり、（Ｂ）は得点表示装置を背面方向から見た斜視図である。
【図６】（Ａ）は前面方向を説明するための図であり、（Ｂ）は背面方向を説明するための図である。
【図７】受信部から制御部に送信される得点制御信号を説明するための図であり、（Ａ）は前面受信部が得点制御信号を受信したときに制御部に送信される得点制御信号を示す図であり、（Ｂ）は背面受信部が得点制御信号を受信したときに制御部に送信される得点制御信号を示す図である。
【図８】記憶部に格納される得点情報とモード情報を説明するための図である。
【図９】得点表示装置が有する動作モードを説明するための図であり、（Ａ）は通常モードを説明するための図であり、（Ｂ）は変換モードを説明するための図である。
【図１０】入替操作部が操作されたときに得点情報か書き換えられる様子を説明するための図である。
【図１１】実施形態１の得点制御信号送受信処理を説明するためのフローチャートである。
【図１２】実施形態１の得点変更処理（通常モード）を説明するためのフローチャートである。
【図１３】実施形態１の得点変更処理（変換モード）を説明するためのフローチャートである。
【図１４】リモートコントローラによって複数台の得点表示装置を制御できることを説明するための図である。
【図１５】リモートコントローラによって側面方向から得点表示装置を制御できることを説明するための図である。
【図１６】実施形態２の得点表示システムの構成を説明するための図である。
【図１７】（Ａ）は左側面方向を説明するための図であり、（Ｂ）は右側面方向を説明するための図である。
【図１８】受信部から制御部に送信される得点制御信号を説明するための図であり、（Ａ）は左側面受信部が得点制御信号を受信したときに制御部に送信される得点制御信号を示す図であり、（Ｂ）は右側面受信部が得点制御信号を受信したときに制御部に送信される得点制御信号を示す図である。
【図１９】リモートコントローラから送信される得点制御信号を説明するための図である。
【図２０】実施形態２の得点制御信号送受信処理を説明するためのフローチャートである。
【図２１】実施形態２の得点変更処理（変換モード）を説明するためのフローチャートである。
【図２２】左右のキー操作を、チームまたは個人の得点操作に固定したリモートコントローラを示す図である。
【図２３】記憶部に格納される割当情報を説明するための図である。
【図２４】実施形態３の得点制御信号送受信処理を説明するためのフローチャートである。
【図２５】実施形態３の得点変更処理（固定モード）を説明するためのフローチャートである。
【発明を実施するための形態】
【００１７】
以下、本発明を実施するための形態について図面を参照しながら説明する。
【００１８】
（実施形態１）
本発明の実施形態に係る得点表示システム１００は、２つのチームまたは個人が２つの競技位置（以下、「サイド」という。）に分かれて対戦する対戦型スポーツ（例えば、バスケットボールや柔道）の得点を表示するためのシステムである。以下、得点表示システム１００の構成について説明する。
【００１９】
得点表示システム１００は、図１に示すように、リモートコントローラ１１０と、得点表示装置１２０とから構成される。
【００２０】
リモートコントローラ１１０は、得点表示装置１２０を遠隔操作するための装置であり、例えば図２に示すような外観をしている。リモートコントローラ１１０は、図３に示すように、キー操作部１１１と、送信制御部１１２と、送信部１１３とから構成される。
【００２１】
キー操作部１１１は、図２に示すように、左加点キー１１１Ｌｕ、左減点キー１１１Ｌｄ、右加点キー１１１Ｒｕ、右減点キー１１１Ｒｄ、クリアキー１１１Ｃ等の各種操作キーから構成される。キー操作部１１１は、これら操作キーが押されると、送信制御部１１２に対し、操作キーが押されたことを示す情報（例えば、各操作キーを示す数値情報。以下、「キー押下情報」という。）を送信する。
【００２２】
送信制御部１１２は、プロセッサ等の処理装置から構成される。送信制御部１１２は不図示のＲＯＭ（Read Only Memory）に格納されているプログラムに従って動作し、後述の「得点制御信号送受信処理」を含む種々の動作を実行する。具体的には、送信制御部１１２はキー操作部１１１からキー押下情報が送信されると、キー押下情報を基にどのキーが押されたか判別し、判別した情報を基に得点表示装置１２０に送信する「得点制御信号」を生成する。
【００２３】
「得点制御信号」は、図４に示ように、リモートコントローラの種類を示す「種別情報」（例えば、各メーカーに割り当てられたコード情報やリモートコントローラの型番情報等）と、押されたキーの内容を示す「キー情報」とから構成される。なお、以下の説明では、理解を容易にするため、図４に示す（ａ）のように、キー情報に左加点キー１１１Ｌｕまたは左減点キー１１１Ｌｄを示す情報が含まれる得点制御信号を「左得点制御信号」と呼び、図４に示す（ｂ）のように、キー情報に右加点キー１１１Ｒｕまたは右減点キー１１１Ｒｄを示す情報が含まれる得点制御信号を「右得点制御信号」と呼ぶ。また、図４に示す（ｃ）のように、キー情報に左加点キー１１１Ｌｕまたは右加点キー１１１Ｒｕを示す情報が含まれる得点制御信号を「加点信号」と呼び、図４に示す（ｄ）のように、キー情報に左減点キー１１１Ｌｄまたは右減点キー１１１Ｒｄを示す情報が含まれる得点制御信号を「減点信号」と呼ぶ。
【００２４】
図３に戻り、送信部１１３は、赤外線等の指向性持った信号（強度が方向によって異なる性質を持った信号）を出力する出力装置（例えば、赤外線発光装置）から構成される。送信部１１３は送信制御部１１２が生成した得点制御信号を赤外線信号等に変換し外部に出力する。
【００２５】
得点表示装置１２０は、対戦するチームまたは個人が取得した得点をそれぞれ表示するための装置であり、例えば図５に示すような外観をしている。なお、以下の説明では、理解を容易にするため、図１に示すように、得点表示装置１２０の表示部１２３に向かって左側を左サイド、右側を右サイドと呼ぶ。
【００２６】
得点表示装置１２０は、図３に示すように、タイマ１２２と、操作部１２５と、記憶部１２４と、受信部１２１と、表示部１２３と、制御部１２６とから構成される。
【００２７】
受信部１２１は、リモートコントローラ１１０が送信する信号を受信するための受信装置（例えば赤外線受光装置）である。受信部１２１は、図５（Ａ）に示すように、得点表示装置１２０の表示部１２３が配置された面（以下、「前面」という。）に設置された前面受信部１２１Ｆと、その裏面（以下、「背面」という。）に設置された背面受信部１２１Ｂとから構成される。
【００２８】
前面受信部１２１Ｆは、リモートコントローラ１１０が出力する信号を受信する受信装置等から構成される。前面受信部１２１Ｆは、得点表示装置１２０の前面に対向する方向（例えば、図６（Ａ）に示すように、前面と直角に交わる直交線を中心とした上下左右所定角度、例えば、０°より大きく１８０°より小さい角度の範囲の方向。以下、「前面方向」という。）から送信される信号を受信する。そして、受信した信号から得点制御信号を取り出し、取り出した得点制御信号に、例えば図７（Ａ）に示すように、前面受信部１２１Ｆで受信したことを示す「受信部位情報」を付加して制御部１２６に送信する。
【００２９】
背面受信部１２１Ｂは、リモートコントローラ１１０が出力する信号を受信する受信装置等から構成される。前面受信部１２１Ｆは、得点表示装置１２０の背面に対向する方向（例えば、図６（Ｂ）に示すように、背面と直角に交わる直交線を中心とした上下左右所定角度、例えば、０°より大きく１８０°より小さい角度の範囲の方向）から送信される信号を受信する。そして、受信した信号から得点制御信号を取り出し、取り出した得点制御信号に、例えば図７（Ｂ）に示すように、背面受信部１２１Ｂで受信したことを示す「受信部位情報」を付加して制御部１２６に送信する。なお、以下の説明では、理解を容易にするため、得点制御信号が送信された方向（つまり、得点表示装置１２０に対するリモートコントローラ１１０の位置する方向。例えば、前面方向や背面方向）のことを「送信方向」と呼ぶ。
【００３０】
図３に戻り、タイマ１２２は、クロック回路等の計時装置から構成される。タイマ１２２は制御部１２６から時間（例えば、２０分００秒）がセットされると、セットされた時間のカウントダウンを開始する。そして、タイマ１２２は制御部１２６に対して１秒毎にカウントダウンした時間（例えば、１９分５９秒、１９分５８秒、・・・）を送信する。
【００３１】
表示部１２３は、ＬＣＤ（Liquid Crystal Display：液晶ディスプレイ）やＯＥＬＤ（Organic EctroLuminescence Display：有機ＥＬディスプレイ）等の表示装置から構成される。表示部１２３は図５（Ａ）に示すように、時間表示部１２３Ｔと、左得点表示部１２３Ｌと、右得点表示部１２３Ｒとを有している。
【００３２】
時間表示部１２３Ｔは、タイマ１２２がカウントダウンした時間を表示するための表示領域である。表示部１２３は、制御部１２６から時間が送信されると、随時、送信された時間を表示する。
【００３３】
左得点表示部１２３Ｌは、左サイドの得点を表示するための領域である。表示部１２３は、制御部１２６から左サイドの得点を示す情報が送信されると、送信された情報に基づいて現在表示されている得点表示を変更する。
【００３４】
右得点表示部１２３Ｒは、右サイドの得点を表示するための領域である。表示部１２３は、制御部１２６から左サイドの得点を示す情報が送信されると、送信された情報に基づいて現在表示されている得点表示を変更する。
【００３５】
図３に戻り、記憶部１２４は、ＲＡＭ（Random Access Memory）等の読み書き可能な記憶装置から構成される。記憶部１２４は「得点情報」「有効受信部位情報」「モード情報」等の各種データを記憶する。
【００３６】
「得点情報」は、表示部１２３に表示される得点を示す情報である。具体的には、図８に示す（ａ）のように、左右の得点にサイド情報（例えば、右サイド／左サイド）とチーム情報（例えば、ホーム／ゲスト）とを関連付けた情報である。なお、以下の説明では、理解を容易にするため、サイド情報が左サイドとなっている得点情報を「左得点情報」と呼び、サイド情報が右サイドとなっている得点情報を「右得点情報」と呼ぶ。
【００３７】
「有効受信部位情報」は、例えば図８に示す（ｂ）のように、受信部１２１の、どの受信部位（本実施形態では前面受信部１２１Ｆと背面受信部１２１Ｂのいずれか）が有効かを示す情報である。有効受信部位情報は、選択操作部１２５Ｓが押されるたびに制御部１２６によって「前面受信部のみ有効」→「背面受信部のみ有効」→「いずれの受信部も有効」→「いずれの受信部も無効」→「前面受信部のみ有効」→・・・と書き換えられる。
【００３８】
「モード情報」は、例えば図８に示す（ｃ）のように、得点表示装置１２０の現在の動作モードを示す情報である。得点表示装置１２０は、「通常モード」と「変更モード」の２つの動作モードを有している。
【００３９】
「通常モード」は、前面受信部１２１Ｆ、背面受信部１２１Ｂ、どちらで得点制御信号を受信したかに関わらず得点表示装置１２０が同じ動作をするモードである。具体的には、図９（Ａ）に示すように、リモートコントローラ１１０の向きに関わらず、リモートコントローラ１１０の左右の操作キーと表示部１２３の左右の得点表示を一致させるモードである。より具体的には、受信した得点制御信号が左得点制御信号の場合は、左得点表示部１２３Ｌの得点表示を変更し、受信した得点制御信号が右得点制御信号の場合は、右得点表示部１２３Ｒの得点表示を変更する。
【００４０】
「変換モード」は、前面受信部１２１Ｆ、背面受信部１２１Ｂ、どちらで受信したかによって得点表示装置１２０の動作が変わるモードである。具体的には、図９（Ｂ）に示すように、リモートコントローラ１１０の向きによって、リモートコントローラ１１０の操作キーによって制御される表示部１２３の得点表示を変更するモードである。より具体的には、前面受信部１２１Ｆで左得点制御信号を受信した場合は、左得点表示部１２３Ｌの得点表示を変更し、背面受信部１２１Ｂで左得点制御信号を受信した場合は、右得点表示部１２３Ｒの得点表示を変更する。また、前面受信部１２１Ｆで右得点制御信号を受信した場合は、右得点表示部１２３Ｒの得点表示を変更し、背面受信部１２１Ｂで右得点制御信号を受信した場合は、左得点表示部１２３Ｌの得点表示を変更する。
【００４１】
図３に戻り、操作部１２５は、得点表示装置１２０を操作するためのオペレーションパネルである。操作部１２５は、図５（Ｂ）に示すように、操作表示部１２５Ｄ、選択操作部１２５Ｓ、モード操作部１２５Ｍ、入替操作部１２５Ｃ、タイマ操作部１２５Ｔ、得点操作部１２５Ｐ、から構成される。
【００４２】
操作表示部１２５Ｄは、ＬＣＤやＯＥＬＤ等の表示装置から構成される。操作表示部１２５Ｄは制御部１２６の制御に従ってユーザの操作内容（例えば、タイマをセットする際の時間情報や、モードを選択する際のモード情報等）を表示する。
【００４３】
選択操作部１２５Ｓは、得点表示装置１２０のどの受信部を有効にするか（すなわち、いずれの受信部を受信可能にするか）を切り替えるためのボタンである。具体的には、ユーザによって選択操作部１２５Ｓが押されると、選択操作部１２５Ｓは制御部１２６に対しボタンが押されたことを示す情報を送信する。制御部１２６はその情報を受信すると記憶部１２４に格納されている有効受信部位情報を書き換える。そして、制御部１２６は書き換えた有効受信部位情報に基づいて各受信部位の有効／無効を切り替える（例えば、受信部位情報が「いずれの受信部も有効」になっている場合は前面受信部１２１Ｆと背面受信部１２１Ｂの両方を有効（受信可能）にし、「いずれの受信部も無効」になっている場合は前面受信部１２１Ｆと背面受信部１２１Ｂの両方を無効（受信不能）にする。また、受信部位情報が「前面受信部のみ有効」になっている場合は前面受信部１２１Ｆを有効にするとともに、背面受信部１２１Ｂを無効にする。逆に、受信部位情報が「背面受信部のみ有効」になっている場合は背面受信部１２１Ｂを有効にするとともに、前面受信部１２１Ｆを無効にする。）。各受信部位の有効／無効の切り替えは、制御部１２６が、各受信部位からの得点制御信号を受信するか／破棄するかを選択する等によって切り替えてもよいし、各受信部に対する電力供給の供給／停止を制御する等によって受信部位の有効／無効を切り替えてもよい。なお、得点表示装置１２０が設置され、リモートコントローラ１１０の位置（つまり、リモートコントローラ操作者の立ち位置）が決定した時点で、前面受信部１２１Ｆおよび背面受信部１２１Ｂのうちのいずれか１つの受信部を有効（受信可能）にし、他の受信部を無効（受信不能）にすることが望ましい。
【００４４】
モード操作部１２５Ｍは、得点表示装置１２０の動作モードを選択するためのボタンである。得点表示装置１２０は、「通常モード」と「変換モード」の２つの動作モードを有していて、モード操作部１２５Ｍが押されるたびに、通常モードと変換モードとが切り替わる。具体的には、ユーザによってモード操作部１２５Ｍが押されると、モード操作部１２５Ｍは制御部１２６に対しボタンが押されたことを示す情報を送信する。制御部１２６はその情報を受信すると、記憶部１２４に格納されている、得点表示装置１２０の現在の動作モードを示すモード情報を別のモード情報に書き換える。例えば、記憶部１２４に格納されているモード情報が「通常モード」であれば「変換モード」に書き換え、「変換モード」であれば「通常モード」に書き換える。
【００４５】
入替操作部１２５Ｃは、コートチェンジの際に、左右のサイドの得点表示を入れ替えるためのボタンである。具体的には、ユーザによって入替操作部１２５Ｃが押されると、入替操作部１２５Ｃは制御部１２６に対しボタンが押されたことを示す情報を送信する。制御部１２６はその情報を受信すると、記憶部１２４に格納されている得点情報のサイド情報を図１０に示すように入れ替えるとともに、入れ替えた得点情報にあわせて左得点表示部１２３Ｌおよび右得点表示部１２３Ｒの表示を入れ替える。
【００４６】
タイマ操作部１２５Ｔは、得点表示装置１２０のタイマ機能を操作するためのボタン群から構成される。タイマ操作部１２５Ｔは、ボタンが押されると制御部１２６に対しボタンが押されたことを示す情報を送信する。制御部１２６は押されたボタンの内容に応じて操作表示部１２５Ｄ、タイマ１２２、および時間表示部１２３Ｔを制御する。
【００４７】
得点操作部１２５Ｐは、得点表示装置１２０の得点表示を操作するためのボタン群から構成される。得点操作部１２５Ｐは、ボタンが押されると制御部１２６に対しボタンが押されたことを示す情報を送信する。制御部１２６は押されたボタンの内容に応じて操作表示部１２５Ｄ、左得点表示部１２３Ｌ、および右得点表示部１２３Ｒを制御する。
【００４８】
制御部１２６は、プロセッサ等の処理装置から構成される。制御部１２６は不図示のＲＯＭ（Read Only Memory）に格納されているプログラムに従って動作し、後述の「得点制御信号送受信処理」「得点変更処理」を含む種々の動作を実行する。
【００４９】
次に、このような構成を有する得点表示システム１００の動作について説明する。
【００５０】
リモートコントローラ１１０は、電源が投入されると、得点制御信号を得点表示装置１２０に送信するための「得点制御信号送受信処理（リモートコントローラ側）」を開始する。また、得点表示装置１２０は、電源が投入されると、リモートコントローラ１１０から得点制御信号を受信し、受信した得点制御信号に基づいて表示部１２３の得点表示を変更するための「得点制御信号送受信処理（得点表示装置側）」を開始する。以下、図１１のフローチャートを参照して「得点制御信号送受信処理」を説明する。
【００５１】
リモートコントローラ１１０の送信制御部１１２は、操作部１２５からキー押下情報を受信したか否か判別する（ステップＳ１１０）。キー押下情報を受信していない場合（ステップ１１０：Ｎｏ）、キー押下情報を受信するまでステップＳ１１０を繰り返す。キー押下情報を受信した場合（ステップ１１０：Ｙｅｓ）、ステップＳ１２０に進む。
【００５２】
送信制御部１１２は受信したキー押下情報を基に、例えば図４に示すような得点制御信号を生成する（ステップＳ１２０）。
【００５３】
図１１に戻り、送信制御部１１２は、生成した得点制御信号を送信部１１３に送信する。送信部１１３は送信制御部１１２から受信した得点制御信号を赤外線信号に変換し、変換した赤外線信号を先端の発光装置から外部に発光する（ステップＳ１３０）。
【００５４】
得点表示装置１２０側の処理に移り、制御部１２６は受信部１２１から得点制御信号を受信したか否か判別する（ステップＳ１４０）。得点制御信号を受信していない場合（ステップ１４０：Ｎｏ）、得点制御信号を受信するまでステップＳ１４０を繰り返す。得点制御信号を受信した場合（ステップ１４０：Ｎｏ）、ステップＳ１５０に進む。
【００５５】
制御部１２６は受信した得点制御信号に含まれるキー情報がクリアキーか否か判別する（ステップＳ１５０）。クリアキーの場合（ステップＳ１５０：Ｙｅｓ）、制御部１２６は記憶部１２４に格納されている得点情報の得点をクリアする（例えば、０にする）とともに、左得点表示部１２３Ｌおよび右得点表示部１２３Ｒの表示もクリアする。クリアキーではない場合（ステップＳ１５０：Ｎｏ）、ステップＳ１７０に進む。
【００５６】
制御部１２６は、記憶部１２４に格納されているモード情報を基に、得点表示装置１２０の現在の動作モードが通常モードか変換モードか判別する（ステップＳ１７０）。通常モードの場合（ステップＳ１７０：Ｙｅｓ）、ステップＳ１８０に進む。変換モードの場合（ステップＳ１７０：Ｎｏ）、ステップＳ１９０に進む。
【００５７】
通常モードの場合（ステップＳ１７０：Ｙｅｓ）、制御部１２６は表示部１２３の得点表示を変更するための「得点変更処理（通常モード）」を開始する（ステップＳ１８０）。以下、図１２のフローチャートを参照して「得点変更処理（通常モード）」を説明する。
【００５８】
制御部１２６は、得点制御信号に含まれるキー情報を基に、受信した得点制御信号が図４に示す（ａ）のような「左得点制御信号」か、図４に示す（ｂ）のような「右得点制御信号」かを判別する（ステップＳ１８１）。図１２に戻り、左得点制御信号の場合（ステップＳ１８１：Ｙｅｓ）、ステップＳ１８２に進む。右得点制御信号の場合（ステップＳ１８１：Ｎｏ）、ステップＳ１８３に進む。
【００５９】
左得点制御信号の場合（ステップＳ１８１：Ｙｅｓ）、制御部１２６は左得点制御信号に基づいて、プログラム等により予め定められた一方のサイド（本実施形態の場合、左得点表示部１２３Ｌ）の得点表示を変更する。具体的には、制御部１２６は左得点制御信号が図４に示す（ｃ）のような「加点信号」か、図４に示す（ｄ）のような「減点信号」かを判別する。加点信号の場合、制御部１２６は記憶部１２４に格納されている左得点情報の得点を１点加点して上書き保存するとともに、加点した左得点情報の得点を左得点表示部１２３Ｌに表示する。減点信号の場合、制御部１２６は記憶部１２４に格納されている左得点情報の得点を１点減点して上書き保存するとともに、減点した左得点情報の得点を左得点表示部１２３Ｌに表示する（ステップＳ１８２）。
【００６０】
図１２のステップＳ１８１に戻り、制御情報が右得点制御信号の場合（ステップＳ１８１：Ｎｏ）、制御部１２６は右得点制御信号に基づいて他方のサイド（本実施形態の場合、右得点表示部１２３Ｒ）の得点表示を変更する。具体的には、制御部１２６は右得点制御信号が「加点信号」か、「減点信号」かを判別する。加点信号の場合、制御部１２６は記憶部１２４に格納されている右得点情報の得点を１点加点して上書き保存するとともに、加点した右得点情報の得点を右得点表示部１２３Ｒに表示する。減点信号の場合、制御部１２６は記憶部１２４に格納されている右得点情報の得点を１点減点して上書き保存するとともに、減点した右得点情報の得点を右得点表示部１２３Ｒに表示する（ステップＳ１８３）。
【００６１】
表示が完了したら、制御部１２６は得点変更処理（通常モード）を終了する。
【００６２】
図１１のステップＳ１７０に戻り、現在の動作モードが変換モードの場合（ステップＳ１７０：Ｎｏ）、制御部１２６は表示部１２３の得点表示を変更するための「得点変更処理（変換モード）」を開始する（ステップＳ１９０）。以下、図１３のフローチャートを参照して「得点変更処理（変換モード）」を説明する。
【００６３】
制御部１２６は、得点制御信号に付加された受信部位情報を基に、得点制御信号を前面受信部１２１Ｆで受信したか、背面受信部１２１Ｂで受信したか判別する（ステップＳ１９１）。前面受信部１２１Ｆで受信した場合（ステップＳ１９１：Ｙｅｓ）、ステップＳ１９２に進む。背面受信部１２１Ｂで受信した場合（ステップＳ１９１：Ｎｏ）、ステップＳ１９５に進む。
【００６４】
前面受信部１２１Ｆで受信した場合（ステップＳ１９１：Ｙｅｓ）、制御部１２６は、得点制御信号に含まれるキー情報を基に、受信した得点制御信号が「左得点制御信号」か、「右得点制御信号」かを判別する（ステップＳ１９２）。左得点制御信号の場合（ステップＳ１９２：Ｙｅｓ）、ステップＳ１９３に進む。右得点制御信号の場合（ステップＳ１９２：Ｎｏ）、ステップＳ１９４に進む。
【００６５】
左得点制御信号の場合（ステップＳ１９２：Ｙｅｓ）、制御部１２６は左得点制御信号に基づいてプログラム等により予め定められた一方のサイド（本実施形態の場合、左得点表示部１２３Ｌ）の得点表示を変更する。具体的には、制御部１２６は左得点制御信号が「加点信号」か、「減点信号」かを判別する。加点信号の場合、制御部１２６は記憶部１２４に格納されている左得点情報の得点を１点加点して上書き保存するとともに、加点した左得点情報の得点を左得点表示部１２３Ｌに表示する。減点信号の場合、制御部１２６は記憶部１２４に格納されている左得点情報の得点を１点減点して上書き保存するとともに、減点した左得点情報の得点を左得点表示部１２３Ｌに表示する（ステップＳ１９３）。
【００６６】
ステップＳ１９２に戻り、制御情報が右得点制御信号の場合（ステップＳ１９２：Ｎｏ）、制御部１２６は右得点制御信号に基づいて他方のサイド（本実施形態の場合、右得点表示部１２３Ｒ）の得点表示を変更する。具体的には、制御部１２６は右得点制御信号が「加点信号」か、「減点信号」かを判別する。加点信号の場合、制御部１２６は記憶部１２４に格納されている右得点情報の得点を１点加点して上書き保存するとともに、加点した右得点情報の得点を右得点表示部１２３Ｒに表示する。減点信号の場合、制御部１２６は記憶部１２４に格納されている右得点情報の得点を１点減点して上書き保存するとともに、減点した右得点情報の得点を右得点表示部１２３Ｒに表示する（ステップＳ１９４）。
【００６７】
ステップＳ１９１に戻り、背面受信部１２１Ｂで得点制御信号を受信した場合（ステップＳ１９１：Ｎｏ）、制御部１２６は、得点制御信号に含まれるサイド情報を基に、得点制御信号が「左得点制御信号」か、「右得点制御信号」かを判別する（ステップＳ１９５）。左得点制御信号の場合（ステップＳ１９５：Ｙｅｓ）、ステップＳ１９６に進む。右得点制御信号の場合（ステップＳ１９５：Ｎｏ）、ステップＳ１９７に進む。
【００６８】
左得点制御信号の場合（ステップＳ１９５：Ｙｅｓ）、制御部１２６は左得点制御信号に基づいて反対サイドとなる右得点表示部１２３Ｒの得点表示を変更する。具体的には、制御部１２６は左得点制御信号が「加点信号」か、「減点信号」かを判別する。加点信号の場合、制御部１２６は記憶部１２４に格納されている右得点情報の得点を１点加点して上書き保存するとともに、加点した右得点情報の得点を右得点表示部１２３Ｒに表示する。減点信号の場合、制御部１２６は記憶部１２４に格納されている右得点情報の得点を１点減点して上書き保存するとともに、減点した右得点情報を右得点表示部１２３Ｒに表示する（ステップＳ１９６）。
【００６９】
ステップＳ１９５に戻り、制御情報が右得点制御信号の場合（ステップＳ１９５：Ｎｏ）、制御部１２６は右得点制御信号に基づいて反対サイドとなる左得点表示部１２３Ｌの得点表示を変更する。具体的には、制御部１２６は右得点制御信号が加点信号か減点信号か判別する。加点信号の場合、制御部１２６は記憶部１２４に格納されている左得点情報の得点を１点加点して上書き保存するとともに、加点した左得点情報の得点を左得点表示部１２３Ｌに表示する。減点信号の場合、制御部１２６は記憶部１２４に格納されている左得点情報の得点を１点減点して上書き保存するとともに、減点した左得点情報の得点を左得点表示部１２３Ｌに表示する（ステップＳ１９７）。
【００７０】
表示が完了したら、制御部１２６は得点変更処理（変換モード）を終了するとともに、図１１のステップＳ１４０に戻り、リモートコントローラ１１０からの得点制御信号の受信を待機する。
【００７１】
本実施形態によれば、変換モードを使えば、リモートコントローラ１１０を操作するオペレータが得点表示装置１２０の前面方向にいても背面方向にいても、リモートコントローラ１１０の各操作キーの左右の位置と、オペレータの位置から視覚的に見たコートのサイドが一致しているので、オペレータは操作ミスを起こすことなく容易に得点操作ができる。一方、通常モードを使えば、確実に操作キーに割り当てられている所望のサイドの得点を操作できる。
【００７２】
また、変換モードを使えば、得点制御信号を前面受信部１２１Ｆで受信したか、背面受信部１２１Ｂで受信したかによって得点表示装置１２０の動作が異なるので、例えば、図１４に示すように、異なった方向を向いた複数台の得点表示装置１２０をコートの周りに設置した場合であっても、１台のリモートコントローラ１１０で、同時に得点を操作することができる。
【００７３】
（実施形態２）
実施形態１の得点表示システム１００は得点制御信号の送信方向が前面方向か背面方向かによって動作を変更したが、例えば図１５に示すように、得点制御信号の送信方向が前面または背面と直角に位置する左側面方向、その反対面となる右側面方向かによって動作を変更することも可能である。以下、本実施形態の得点表示システム１００について説明する。
【００７４】
得点表示システム１００は、図１６に示すように、リモートコントローラ１１０と、得点表示装置１２０と、リモートコントローラ１３０とから構成される。
【００７５】
リモートコントローラ１１０の構成は実施形態１と同じであるので説明を省略する。
【００７６】
得点表示装置１２０は、実施形態１の構成に加え、左側面受信部１２１Ｌと、右側面受信部１２１Ｒと、を備えている。
【００７７】
左側面受信部１２１Ｌはリモートコントローラ１３０が出力する信号を受信する受信装置等から構成される。左側面受信部１２１Ｌは、得点表示装置１２０の左側面に対向する方向（例えば、図１７（Ａ）に示すように、左側面と直角に交わる直交線を中心とした上下左右所定角度、例えば、０°より大きく１８０°より小さい角度の範囲の方向。以下、「左側面方向」という。）から送信される信号を受信する。そして、受信した信号から得点制御信号を取り出し、取り出した得点制御信号に、例えば図１８（Ａ）に示すように、左側面受信部１２１Ｌで受信したことを示す「受信部位情報」を付加して制御部１２６に送信する。
【００７８】
右側面受信部１２１Ｒはリモートコントローラ１３０が出力する信号を受信する受信装置等から構成される。右側面受信部１２１Ｒは、得点表示装置１２０の右側面に対向する方向（例えば、図１７（Ｂ）に示すように、右側面と直角に交わる直交線を中心とした上下左右所定角度、例えば、０°より大きく１８０°より小さい角度の範囲の方向）から送信される信号を受信する。そして、受信した信号から得点制御信号を取り出し、取り出した得点制御信号に、例えば図１８（Ｂ）に示すように、右側面受信部１２１Ｒで受信したことを示す「受信部位情報」を付加して制御部１２６に送信する。なお、以下の説明では、理解を容易にするため、得点制御信号が送信された方向（つまり、得点表示装置１２０に対するリモートコントローラ１３０の位置する方向。例えば、左側面方向や右側面方向）のことを「送信方向」と呼ぶ。
【００７９】
なお、リモートコントローラ１３０から送信される得点制御信号の「種別情報」とリモートコントローラ１１０から送信される得点制御信号の「種別情報」とは異なるものになっている（例えば、リモートコントローラ１１０の種別情報には“Ｔ００１”が、リモートコントローラ１３０の種別情報には“Ｔ００３”がセットされている）。左側面受信部１２１Ｌおよび右側面受信部１２１Ｒは、種別情報を基に得点制御信号がリモートコントローラ１１０から送信されたものかリモートコントローラ１３０から送信されたものか判別する。そして、リモートコントローラ１３０から送信されたと判別された場合にのみ受信した得点制御信号を制御部１２６に送信する。また、前面受信部１２１Ｆおよび背面受信部１２１Ｂも同様に、種別情報を基に得点制御信号がリモートコントローラ１１０から送信されたものかリモートコントローラ１３０から送信されたものか判別する。そしてリモートコントローラ１１０から送信されたと判別された場合のみ受信した得点制御信号を制御部１２６に送信する。
【００８０】
また、記憶部１２４に格納される有効受信部位情報は、選択操作部１２５Ｓが押されるたびに「前面受信部のみ有効」→「背面受信部のみ有効」→「左側面受信部のみ有効」→「右側面受信部のみ有効」→「いずれの受信部も有効」→「いずれの受信部も無効」→「前面受信部のみ有効」→・・・と書き換えられる。なお、本実施形態においても、得点表示装置１２０が設置され、リモートコントローラ１１０の位置（つまり、リモートコントローラ操作者の立ち位置）が決定した時点で、前面受信部１２１Ｆ、背面受信部１２１Ｂ、左側面受信部１２１Ｌ、右側面受信部１２１Ｒのうちのいずれか１つの受信部を有効（受信可能）にし、他の受信部を無効（受信不能）ことが望ましい。
【００８１】
リモートコントローラ１３０は、リモートコントローラ１１０と同様に、キー操作部１１１と、送信制御部１１２と、送信部１１３とから構成される。
【００８２】
キー操作部１１１は、図１６に示すように、前加点キー１１１Ｆｕ、前減点キー１１１Ｆｄ、後加点キー１１１Ｂｕ、後減点キー１１１Ｂｄ、クリアキー１１１Ｃ等の各種操作キーから構成される。キー操作部１１１は、これら操作キーが押されると、送信制御部１１２に対し、操作キーが押されたことを示す情報（以下、「キー押下情報」という。）を送信する。
【００８３】
送信制御部１１２は、キー操作部１１１からキー押下情報が送信されると、キー押下情報を基にキー操作部１１１のどのキーが押されたか判別し、判別した情報を基に得点表示装置１２０の得点表示を制御するための「得点制御信号」を生成する。
【００８４】
「得点制御信号」は、図１９に示ように、リモートコントローラの種類を示す「種別情報」と、押されたキーの内容を示す「キー情報」とから構成される。なお、以下の説明では、理解を容易にするため、図１９に示す（ａ）のように、キー情報に前加点キー１１１Ｆｕまたは前減点キー１１１Ｆｄを示す情報が含まれる得点制御信号を「前得点制御信号」と呼び、図１９に示す（ｂ）のように、キー情報に後加点キー１１１Ｂｕまたは後減点キー１１１Ｂｄを示す情報が含まれる得点制御信号を「後得点制御信号」と呼ぶ。また、図１９に示す（ｃ）のように、キー情報に前加点キー１１１Ｆｕまたは後加点キー１１１Ｂｕを示す情報が含まれる得点制御信号を「加点信号」と呼び、図１９に示す（ｄ）のように、キー情報に前減点キー１１１Ｆｄまたは後減点キー１１１Ｂｄを示す情報が含まれる得点制御信号を「減点信号」と呼ぶ。
【００８５】
送信部１１３は制御部１２６が生成した得点制御信号を赤外線信号に変換し外部に送信する。
【００８６】
次に、このような構成を有する得点表示システム１００の動作について説明する。
【００８７】
リモートコントローラ１１０、得点表示装置１２０、及びリモートコントローラ１３０は、電源が投入されると、図２０に示す「得点制御信号送受信処理」を開始する。なお、ステップＳ１７０、ステップＳ２００、およびステップＳ２１０以外のステップについては実施形態１と同様であるので説明を省略する。以下、ステップＳ１７０から説明を開始する。
【００８８】
制御部１２６は、記憶部１２４に格納されているモード情報を基に、得点表示装置１２０の現在の動作モードが通常モードか変換モードか判別する（ステップＳ１７０）。通常モードの場合（ステップＳ１９０：Ｙｅｓ）、ステップＳ１８０に進む。変換モードの場合（ステップＳ１７０：Ｎｏ）、ステップＳ２００に進む。
【００８９】
現在の動作モードが変換モードの場合（ステップＳ１７０：Ｎｏ）、制御部１２６は、得点制御信号に付加された受信部位情報を基に、得点制御信号が前面受信部１２１Ｆ／背面受信部１２１Ｂで受信されたものか、左側面受信部１２１Ｌ／右側面受信部１２１Ｒで受信されたものか判別する（ステップＳ２００）。前面受信部１２１Ｆ／背面受信部１２１Ｂで受信されたものである場合（ステップＳ２００：Ｙｅｓ）、ステップＳ１９０に進む。左側面受信部１２１Ｌ／右側面受信部１２１Ｒで受信されたものである場合（ステップＳ２００：Ｎｏ）、ステップＳ２１０に進む。
【００９０】
得点制御信号が左側面受信部１２１Ｌ／右側面受信部１２１Ｒで受信されたものである場合（ステップＳ２００：Ｎｏ）、制御部１２６は表示部１２３の得点表示を変更するための「得点変更処理（変換モード）」を開始する（ステップＳ２１０）。以下、図２１のフローチャートを参照して「得点変更処理（変換モード）」を説明する。
【００９１】
制御部１２６は、得点制御信号に付加された受信部位情報を基に、得点制御信号を左側面受信部１２１Ｌで受信したか、右側面受信部１２１Ｒで受信したか判別する（ステップＳ２１１）。左側面受信部１２１Ｌで受信した場合（ステップＳ２１１：Ｙｅｓ）、ステップＳ２１２に進む。右側面受信部１２１Ｒで受信した場合（ステップＳ２１１：Ｎｏ）、ステップＳ２１５に進む。
【００９２】
左側面受信部１２１Ｌで受信した場合（ステップＳ２１１：Ｙｅｓ）、制御部１２６は、得点制御信号に含まれるキー情報を基に、受信した得点制御信号が「前得点制御信号」か、「後得点制御信号」かを判別する（ステップＳ２１２）。前得点制御信号の場合（ステップＳ２１２：Ｙｅｓ）、ステップＳ２１３に進む。後得点制御信号の場合（ステップＳ２１２：Ｎｏ）、ステップＳ２１４に進む。
【００９３】
前得点制御信号の場合（ステップＳ２１２：Ｙｅｓ）、制御部１２６は前得点制御信号に基づいて左得点表示部１２３Ｌの得点表示を変更する（ステップＳ２１３）。
【００９４】
ステップＳ２１２に戻り、制御情報が後得点制御信号の場合（ステップＳ２１２：Ｎｏ）、制御部１２６は後得点制御信号に基づいて右得点表示部１２３Ｒの得点表示を変更する。（ステップＳ２１４）。
【００９５】
ステップＳ２１１に戻り、右側面受信部１２１Ｒで得点制御信号を受信した場合（ステップＳ２１１：Ｎｏ）、制御部１２６は、得点制御信号に含まれるサイド情報を基に、得点制御信号が「前得点制御信号」か、「後得点制御信号」かを判別する（ステップＳ２１５）。前得点制御信号の場合（ステップＳ２１５：Ｙｅｓ）、ステップＳ２１６に進む。後得点制御信号の場合（ステップＳ２１５：Ｎｏ）、ステップＳ２１７に進む。
【００９６】
前得点制御信号の場合（ステップＳ２１５：Ｙｅｓ）、制御部１２６は前得点制御信号に基づいて右得点表示部１２３Ｒの得点表示を変更する。（ステップＳ２１６）。
【００９７】
ステップＳ２１２に戻り、制御情報が後得点制御信号の場合（ステップＳ２１５：Ｎｏ）、制御部１２６は後得点制御信号に基づいて左得点表示部１２３Ｌの得点表示を変更する（ステップＳ２１７）。
【００９８】
変更が完了したら、制御部１２６は得点変更処理（変換モード）を終了するとともに、図２０のステップＳ１４０に戻り、リモートコントローラからの得点制御信号の受信を待機する。
【００９９】
本実施形態によれば、リモートコントローラ１３０を操作するオペレータが得点表示装置１２０の右側面方向にいても左側面方向にいても、リモートコントローラ１３０の各操作キーの前後の位置と、オペレータの位置から視覚的に見たコートのサイドが一致しているので、オペレータは容易に得点操作ができる。
【０１００】
（実施形態３）
実施形態１の得点表示システム１００は得点制御信号が前面方向から送信されるか背面方向から送信されるかによって動作を変更したが、リモートコントローラ１１０の左右のキー操作を、例えば図２２に示す（ａ）（ｂ）のように、チームまたは個人の得点操作に固定することも可能である（例えば、チームまたは個人が左右どちらのサイドにいるかに関わらず、左加点キー１１１Ｌｕおよび左減点キー１１１Ｌｄが押されたらホームチームの得点を変更し、右加点キー１１１Ｒｕおよび右減点キー１１１Ｒｄが押されたらゲストチームの得点を変更する）。以下、本実施形態の得点表示システム１００について説明する。
【０１０１】
得点表示システム１００は、図１に示すように、リモートコントローラ１１０と、得点表示装置１２０とから構成される。
【０１０２】
リモートコントローラ１１０および得点表示装置１２０の構成は実施形態１と同じであるが、得点表示装置１２０の記憶部１２４には、図２３に示すように、実施形態１で説明した「得点情報」と「モード情報」等に加え、「割当情報」が格納されている。「割当情報」は、対戦するチームおよび個人の「識別情報」と左右どちらかの得点制御信号を示す「得点制御信号情報」とを関連づけた情報である。なお、以下の説明では、理解を容易にするため、識別情報には、「ホーム」または「ゲスト」のいずれかの情報が入っているものとして説明する。
【０１０３】
また、得点表示装置１２０は、実施形態１で通常した「通常モード」に変えて「固定モード」を有している。「固定モード」は、対戦するチームまたは個人が左右どちらのサイドにいるかに関わらず、チームまたは個人の得点の操作をリモートコントローラ１１０の左右のどちらかのキーに固定するモードである（つまり、コートチェンジがあったとしても、例えば、左側のキーが押されたらホームチームの得点を変更し、右側のキーが押されたらゲストチームの得点を変更する）。
【０１０４】
なお、本実施形態においても、実施形態１と同様に、得点表示装置１２０が設置され、リモートコントローラ操作者の立ち位置が決定した時点で、選択操作部１２５Ｓの操作によって前面受信部１２１Ｆおよび背面受信部１２１Ｂのうちのいずれか１つの受信部を有効（受信可能）にし、他の受信部を無効（受信不能）にすることが望ましい。
【０１０５】
次に、このような構成を有する得点表示システム１００の動作について説明する。
【０１０６】
リモートコントローラ１１０、及び得点表示装置１２０は、電源が投入されると、図２４に示す「得点制御信号送受信処理」を開始する。なお、ステップＳ１７０、及びステップＳ２００以外のステップについては実施形態１と同様であるので説明を省略する。以下、図２４のステップＳ１７０から説明を開始する。
【０１０７】
制御部１２６は、記憶部１２４に格納されているモード情報を基に、得点表示装置１２０の現在の動作モードが固定モードか変換モードか判別する（ステップＳ１７０）。固定モードの場合（ステップＳ１７０：Ｙｅｓ）、ステップＳ２２０に進む。変換モードの場合（ステップＳ１７０：Ｎｏ）、ステップＳ１９０に進む。
【０１０８】
現在の動作モードが固定モード（ステップＳ１７０：Ｙｅｓ）制御部１２６は表示部１２３の得点表示を変更するための「得点変更処理（固定モード）」を開始する（ステップＳ２２０）。以下、図２５のフローチャートを参照して「得点変更処理（固定モード）」を説明する。
【０１０９】
制御部１２６は、得点制御信号に含まれるキー情報を基に、受信した得点制御信号が「左得点制御信号」か、「右得点制御信号」かを判別する（ステップＳ２２１）。左得点制御信号の場合（ステップＳ２２１：Ｙｅｓ）、ステップＳ２２２に進む。右得点制御信号の場合（ステップＳ２２１：Ｎｏ）、ステップＳ２２５に進む。
【０１１０】
受信した得点制御信号が左得点制御信号の場合（ステップＳ２２１：Ｙｅｓ）、制御部１２６は、記憶部１２４に格納されている割当情報を基に、左得点制御信号がどちらの識別情報（ホームまたはゲスト）に割り当てられているか判別する。そして、判別した識別情報（ホームかゲスト）と記憶部１２４に格納されている得点情報を基に、得点を変更するサイドを判別する（ステップＳ２２２）。左サイドの場合（ステップＳ２２２：Ｙｅｓ）、ステップＳ２２３に進む。右サイドの場合（ステップＳ２２２：Ｎｏ）、ステップＳ２２４に進む。
【０１１１】
左サイドの場合（ステップＳ２２２：Ｙｅｓ）、制御部１２６は左得点制御信号に基づいて左得点表示部１２３Ｌの得点表示を変更する（ステップＳ２２３）。
【０１１２】
ステップＳ２２２に戻り、右サイドの場合（ステップＳ２２２：Ｎｏ）、制御部１２６は左得点制御信号に基づいて右得点表示部１２３Ｒの得点表示を変更する。（ステップＳ２２４）。
【０１１３】
ステップ２２１に戻り、受信した得点制御信号が右得点制御信号の場合（ステップＳ２２１：Ｎｏ）、制御部１２６は、記憶部１２４に格納されている割当情報を基に、右得点制御信号がどちらの識別情報（ホームまたはゲスト）に割り当てられているか判別する。そして、判別した識別情報（ホームかゲスト）と記憶部１２４に格納されている得点情報を基に、得点を変更するサイドを判別する（ステップＳ２２５）。左サイドの場合（ステップＳ２２５：Ｙｅｓ）、ステップＳ２２６に進む。右サイドの場合（ステップＳ２２５：Ｎｏ）、ステップＳ２２７に進む。
【０１１４】
左サイドの場合（ステップＳ２２５：Ｙｅｓ）、制御部１２６は右得点制御信号に基づいて左得点表示部１２３Ｌの得点表示を変更する（ステップＳ２２６）。
【０１１５】
ステップＳ２２２に戻り、右サイドの場合（ステップＳ２２５：Ｎｏ）、制御部１２６は左得点制御信号に基づいて右得点表示部１２３Ｒの得点表示を変更する。（ステップＳ２２７）。
【０１１６】
変更が完了したら、制御部１２６は得点変更処理（固定モード）を終了するとともに、図２４のステップＳ１４０に戻り、リモートコントローラ１１０からの得点制御信号の受信を待機する。
【０１１７】
本実施形態によれば、リモートコントローラ１１０の左右のキーが対戦するチームまたは個人と連動しているので、オペレータは容易に得点操作ができる。
【０１１８】
なお、送信部１１３と受信部１２１との間の通信は赤外線通信に限られない。可視光、電波、音波等の指向性を持った伝播媒体を使った通信であってもよい。例えば、送信部１１３は可視光、電波、音波等を出力する出力装置あってもよいし、受信部１２１は送信部１１３から出力される可視光、電波、音波等を受信する受信装置であってもよい。このとき、受信部１２１は、受信した信号が所定方向から送信された信号であるか否かを判別するため、受信した信号の強度が所定閾値以上であるか否か（例えば、波の振幅が所定閾値以上であるか否か）判別し、受信した信号の強度が所定の閾値以上であると判別された場合、受信した制御信号を制御部１２６に送信してもよい。
【０１１９】
また、得点表示装置１２０が得点を表示する対戦型スポーツはバスケットボールや柔道に限られない。例えば、バレーボール、ビーチバレー、テニス、ソフトテニス、バドミントン、ハンドボール、ラグビー、サッカー、アメリカンフットボール、フットサル、卓球、ドッジボール、アイスホッケー、水球、セパタクロー等の球技であってもよいし、空手、剣道、レスリング、ボクシング、キックボクシング、テコンドー、ムエタイ等の格闘技であってもよい。
【０１２０】
得点表示装置１２０の得点表示は点数に限られない。各スポーツにあわせた得点表示形式にすることが可能である。例えば、柔道であれば、“一本”、“技あり”等の得点表示形式であってもよい。
【０１２１】
また、得点表示装置１２０の表示は、得点表示、時間表示に限られない。例えば、どちらのサイドがホームチーム／ゲストチームか、サーブ権が今どちらのサイドにあるか、いま何セット目か等の表示があってもよい。
【０１２２】
本実施形態の得点表示システム１００（リモートコントローラ１１０、１３０、および／または得点表示装置１２０）は、専用のシステムにより実現してもよいし、通常のコンピュータシステムにより実現してもよい。例えば、上述の動作を実行するためのプログラムをコンピュータ読み取り可能な記録媒体に格納して配布し、そのプログラムをコンピュータにインストールして、上述の処理を実行することによって得点表示システム１００（リモートコントローラ１１０、１３０、および／または得点表示装置１２０）を構成してもよい。また、インターネット等のネットワーク上のサーバ装置が備えるディスク装置に格納しておき、例えばコンピュータにダウンロード等できるようにしてもよい。また、上述の機能を、ＯＳとアプリケーションソフトとの共同により実現してもよい。この場合には、ＯＳ以外の部分のみを媒体に格納して配布してもよく、また、コンピュータにダウンロード等してもよい。
【０１２３】
上記プログラムを記録する記録媒体としては、ＵＳＢメモリ、フレキシブルディスク、ＣＤ、ＤＶＤ、Ｂｌｕ−ｒａｙ  Ｄｉｓｃ（登録商標）、ＭＯ、ＳＤカード、メモリースティック（登録商標）、その他、磁気ディスク、光ディスク、光磁気ディスク、半導体メモリ、磁気テープ等のコンピュータ読取可能な記録媒体を使用することができる。
【０１２４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１２５】
１００          得点表示システム
１１０、１３０  リモートコントローラ
１１１          キー操作部
１１１Ｌｕ      左加点キー
１１１Ｌｄ      左減点キー
１１１Ｒｕ      右加点キー
１１１Ｒｄ      右減点キー
１１１Ｆｕ      前加点キー
１１１Ｆｄ      前減点キー
１１１Ｂｕ      後加点キー
１１１Ｂｄ      後減点キー
１１１Ｃ        クリアキー
１１２          送信制御部
１１３          送信部
１２０          得点表示装置
１２１          受信部
１２１Ｆ        前面受信部
１２１Ｂ        背面受信部
１２１Ｌ        左側面受信部
１２１Ｒ        右側面受信部
１２２          タイマ
１２３          表示部
１２３Ｔ        時間表示部
１２３Ｌ        左得点表示部
１２３Ｒ        右得点表示部
１２４          記憶部
１２５          操作部
１２５Ｄ        操作表示部
１２５Ｓ        選択操作部
１２５Ｍ        モード操作部
１２５Ｃ        入替操作部
１２５Ｔ        タイマ操作部
１２５Ｐ        得点操作部
１２６          制御部
【図１】
0005536732.tif 000002
【図２】
0005536732.tif 000003
【図３】
0005536732.tif 000004
【図４】
0005536732.tif 000005
【図５】
0005536732.tif 000006
【図６】
0005536732.tif 000007
【図７】
0005536732.tif 000008
【図８】
0005536732.tif 000009
【図９】
0005536732.tif 000010
【図１０】
0005536732.tif 000011
【図１１】
0005536732.tif 000012
【図１２】
0005536732.tif 000013
【図１３】
0005536732.tif 000014
【図１４】
0005536732.tif 000015
【図１５】
0005536732.tif 000016
【図１６】
0005536732.tif 000017
【図１７】
0005536732.tif 000018
【図１８】
0005536732.tif 000019
【図１９】
0005536732.tif 000020
【図２０】
0005536732.tif 000021
【図２１】
0005536732.tif 000022
【図２２】
0005536732.tif 000023
【図２３】
0005536732.tif 000024
【図２４】
0005536732.tif 000025
【図２５】
0005536732.tif 000026